(57)【要約】      （修正有）【解決手段】ピアリングパートナーは、コールオファーの直接的なブロードバンドルーティングをピアリングネットワークに登録する。ピアリングネットワークは、呼詳細レコードを収集し、終端使用量を集約し、ピアリングリングネットワークのサービスを使用する代償としてピアリングパートナーに提供される支払いを計算して、ピアリングパートナーの代わりにコールオファーを終端する。【効果】ピアリングパートナーへの呼接続を容易にし、かつピアリングパートナーの支払い情報を生成する。【選択図】図１
2011199861.tif 000002
【特許請求の範囲】
【請求項１】
電気通信ピアリングネットワーク内のコールオファーの接続を容易にすることであって、前記容易にすることは、
（ａ）前記電気通信ピアリングネットワークのピアリングパートナーにより登録された電話番号に向かうコールオファーを受信するステップと、
（ｂ）前記電話番号が第１のピアリングパートナーに属することを判定するステップと、
（ｃ）前記第１のピアリングパートナーに前記コールオファーを直接的にルーティングするステップと、
（ｄ）前記コールオファーに関する呼詳細レコードであって、ピアリング情報により補強される呼詳細レコードを生成するステップと、
を含み、ステップ（ａ）〜（ｄ）は、前記第１のピアリングパートナーにより登録される電話番号の複数のコールオファーのために繰り返されることと、
期間に亘る前記第１のピアリングパートナーによる前記電気通信ピアリングネットワークの使用量を集約することと、
前記集約された使用量レポートに部分的に基づいて、支払いを計算することと、
を含むことを特徴とする方法。
【請求項２】
集約された使用量レポートを前記第１のピアリングパートナーに提供することをさらに含む請求項１に記載の方法。
【請求項３】
前記第１のピアリングパートナーに前記支払いを配信することをさらに含む請求項１に記載の方法。
【請求項４】
前記第１のピアリングパートナーに関連する口座に前記支払いを申請することをさらに含む請求項１に記載の方法。
【請求項５】
前記呼詳細レコードは、通話時間、発信電話番号、宛先電話番号、及びタイムスタンプ情報を含み、
ピアリング情報により前記呼詳細レコードを補強することは、ピアリングパートナー識別コードを前記呼詳細レコードに付加することを含む請求項１に記載の方法。
【請求項６】
前記呼詳細レコードを補強することは、ピアリングパートナーネットワークアドレス識別を前記呼詳細レコードに付加することをさらに含む請求項５に記載の方法。
【請求項７】
前記電話番号が第１のピアリングパートナーに属することを判定するステップは、ピアリングデータベースをクエリーすることを有する請求項１に記載の方法。
【請求項８】
前記第１のピアリングパートナーに前記コールオファーをルーティングするステップは、
前記第１のピアリングパートナーに属するネットワーク宛先アドレスのために、前記ピアリングデータベースをクエリーすることと、
前記ネットワーク宛先アドレスにおけるピアネットワーク装置に前記コールオファーを直接的に発することと、
を含む請求項７に記載の方法。
【請求項９】
前記集約された使用量に部分的に基づいて、支払いを計算することは、前記電気通信ピアリングネットワークから前記ピアネットワーク装置に直接的にルーティングされたコールオファー当たりの定額料金を集約することを含む請求項８に記載の方法。
【請求項１０】
前記集約された使用量に部分的に基づいて、支払いを計算することは、前記電気通信ピアリングネットワークから前記ピアネットワーク装置に直接的にルーティングされたコールオファーそれぞれの分当たりの定額料金を集約することを含む請求項８に記載の方法。
【請求項１１】
前記集約された使用量に部分的に基づいて、支払いを計算することは、
前記ピアネットワーク装置に直接的にルーティングするのではなく、公衆電気通信網を介するコールオファーであって、かつ集約される使用量内に含まれるコールオファーそれぞれをルーティングする価格を計算することと、
前記価格のパーセンテージとして前記支払いを計算することと、
を含む請求項８に記載の方法。
【請求項１２】
前記呼詳細レコードを補強することは、従来の電気通信網を介して前記コールオファーをルーティングする推定価格を付加することを含む請求項１１に記載の方法。
【請求項１３】
前記集約された使用量に部分的に基づいて、支払いを計算することは、
前記コールオファーの接続を容易にするための終端料を請求することであって、前記コールオファーは、公衆電気通信網から前記電気通信ピアリングネットワークによって受信されることと、
終端料のパーセンテージとして前記支払いを計算することと、
を含む請求項８に記載の方法。
【請求項１４】
前記呼詳細レコードを補強することは、前記コールオファーを終端するために前記電気通信ピアリングネットワークによって収集される終端料を付加することを含む請求項１３に記載の方法。
【請求項１５】
前記電話番号を登録することは、
支払い情報を登録することと、
電話番号の範囲を登録することであって、前記範囲は、前記電話番号を含むことと、
電話番号の前記範囲に関連するネットワーク宛先アドレスを登録することと、
を含む請求項１に記載の方法。
【請求項１６】
前記ピアリングパートナーは、電気通信回線事業者、第三者の電気通信回線事業者、インタネットサービスプロバイダ、又はアプリケーションサービスプロバイダの１つである請求項１に記載の方法。
【請求項１７】
前記ピアリングパートナーは、企業、教育キャンパス、又は政府機関の１つである請求項１に記載の方法。
【請求項１８】
前記ピアリングパートナーは、個人である請求項１に記載の方法。
【請求項１９】
前記コールオファーは、公衆交換電気通信網から受信される請求項１に記載の方法。
【請求項２０】
電気通信ピアリングネットワーク内の複数のピアリングパートナーへの複数のコールオファーの接続を容易にする手段と、
ピアリングパートナーに電話番号を適合する手段であって、電話番号それぞれは、コールオファーの宛先番号に対応する手段と、
コールオファーに関する呼詳細レコードを収集する手段であって、前記呼詳細レコードは、ピアリングパートナー情報を含む手段と、
前記電気通信ピアリングネットワーク内のピアリングパートナーそれぞれの呼詳細レコードに部分的に基づいて、集約使用量レポートを生成する手段と、
前記集約使用量レポートに部分的に基づいて、支払いを計算する手段と、
を有するシステム。
【発明の詳細な説明】
【技術分野】
【０００１】
本出願の目的は、概して電気通信に関する。
【背景技術】
【０００２】
呼終端（call termination）、又は音声終端（voice termination）は、一方の電気通信から他方の電気通信に交換する電気通信セッションのトランスファ（電話の呼、データ、画像、又はマルチメディアのトランスファなど）に関する。いくつかの例では、電気通信交換局は、競争的市内通信事業者（ＣＬＥＣ）、既存の市内通信事業者（ＩＬＥＣ）、又は電気通信サービスプロバイダのような電気通信回線事業者を含むことができる。呼の開始は、発信ポイントに属し、呼の宛先は、終端ポイントに属する。
【０００３】
発信電気通信交換局は、終端電気通信交換局に電気通信セッションをトランスファするように選択できる。いくつかの実施において、終端電気通信交換局は、終端サービスに関する価格を広告する。例えば、発信電気通信交換局は、最低価格終端サービス、又は最低原価率（ＬＣＲ）を広告する終端電気通信交換局に、電気通信セッションをトランスファするように選択できる。
【０００４】
いくつかの実施において、終端電気通信交換局は、発信電気通信交換局と異なるネットワーク形式を含む。いくつかの例では、ネットワークは、パケット交換データネットワーク（インタネット、イントラネット、エクストラネット、サブネット）、公衆電話交換回線網（ＰＳＴＮ）、無線ネットワーク、ローカルエリアネットワーク（ＬＡＮ）、ワイドエリアネットワーク（ＷＡＮ）、ピアツーピアネットワーク、衛星ネットワーク、ラジオ放送ネットワーク、テレビ放送ネットワーク、光ネットワーク、都市域網（metro area network、ＭＡＮ）、コンピュータネットワーク、グリッドネットワーク（grid network）、交換（構内交換機（ＰＢＸ）など）、ブロードバンドサービス総合デジタル網（Ｂ−ＩＳＤＮ）、アクセスネットワーク、デジタル加入者線（ＤＳＬ）、及びケーブルなどを含むことができる。終端電気通信交換局は、宛先通信措置の形式（通信装置が使用に適するスタイルネットワークなど）により、発信電気通信交換局から選択される可能性がある。通信装置は、電話、スマートフォン、携帯電話、携帯情報終端（ＰＤＡ）、コンピュータ、ＦＡＸ機器、インタネット可能な機器、メディアプレーヤ、セットトップボックス、電子メール装置などを含むがこれに限定されない音声及び／又はデータを送信、又は受信することが可能ないずれの機器を含むことができる。例えば、発信電気通信交換局は、公衆電話交換回線網（ＰＳＴＮ）を含むことができるが、終端電気通信交換局は、ボイスオーバインタネットプロトコル（ＶｏＩＰ）ブロードバンドを含むことができ、逆もまた同様である。
【０００５】
呼詳細レコード（call detail records）は、電話接続の終端により生成される。呼詳細レコード内の情報は、電気通信プロバイダにより使用されて、提供されるサービスの見返りとして正式な請求書の使用料を決定できる。いくつかの例では、呼詳細レコードは、発信電話番号、受信電話番号、発信タイムスタンプ、及び通話時間を含むことができる。さらに、電気通信プロバイダは、記録識別コード（a record identification code）、呼の結果（完了、ビジーなど）、呼に関する特定のルーティング情報、又は呼の間に使用される特殊機能（コールウェイティング、会議回線など）のような呼詳細レコード内の他の情報を収集できる。
【発明の概要】
【課題を解決するための手段】
【０００６】
ピアリングパートナーは、コールオファー（call offers）の直接的なブロードバンドルーティングをピアリングネットワークに登録する。ピアリングネットワークは、呼詳細レコードを収集し、終端使用量を集約し、ピアリングリングネットワークのサービスを使用する代償としてピアリングパートナーに提供される支払いを計算して、ピアリングパートナーの代わりにコールオファーを終端する。
【０００７】
いくつかの実施において、方法は、電気通信ピアリングネットワーク内のコールオファーの接続を容易に（facilitating）することであって、容易にすることは、（ａ）電気通信ピアリングネットワークのピアリングパートナーにより登録された電話番号のコールオファーを受信するステップと、（ｂ）電話番号が第１のピアリングパートナーに属することを判定するステップと、（ｃ）第１のピアリングパートナーにコールオファーを直接的にルーティングするステップと、（ｄ）コールオファーに関する呼詳細レコードであって、ピアリング情報により補強される呼詳細レコードを生成するステップとを含み、ステップ（ａ）〜（ｄ）は、第１のピアリングパートナーにより登録される電話番号の複数のコールオファーのために繰り返されることと、期間に亘る第１のピアリングパートナーによる電気通信ピアリングネットワークの使用量を集約することと、集約された使用量に部分的に基づいて、支払いを計算することとを含む。
【０００８】
システム、方法、装置、及びコンピュータが読み取り可能な媒体を対象とする実施を含む他の実施が開示される。
【図面の簡単な説明】
【０００９】
【図１】ピアリングパートナーへの呼接続を容易にし、かつピアリングパートナーの支払い情報を生成する一例の電気通信ピアリングネットワークのブロックを概略的に示す図である。
【図２】電気通信ピアリングネットワーク内のピアリングパートナーの支払い情報をインボイスし、かつ生成する呼接続を実行する一例の処理のスイムラインを概略的に示す図である。
【図３】図１、及び２を参照して説明される様々な動作を実行する一例のシステムアーキテクチャのブロックを概略的に示す図である。
【発明を実施するための形態】
【００１０】
一例の電気通信ピアリングネットワーク
図１は、ピアリングパートナーへの呼接続を容易にし、かつピアリングパートナーの支払い情報を生成する一例の電気通信ピアリングネットワーク１００のブロックを概略的に示す図である。いくつかの実施において、電気通信ピアリングネットワーク１００は、ピアリングインフラストラクチャ１０２と、ピアリングデータベース１０４と、ピアリングパートナーネットワーク１０６とを備える。
【００１１】
ピアリングインフラストラクチャ１０２は、ピアリングインフラストラクチャネットワークからピアリングパートナーネットワークアクセス設備への電気通信呼の直接的なブロードバンドルーティングを、ピアリングパートナーに提供できる。いくつかの実施において、ピアリングパートナーは、企業、教育キャンパス（educational campus）、電気通信回線事業者、電気通信サービスプロバイダ、インタネットサービスプロバイダ（ＩＳＰ）、アプリケーションサービスプロバイダ（ＡＳＰ）、又は政府機関のような多くの電話番号を有する組織を含むことができる。組織は、ピアリングネットワークに情報を提供することなどにより、ピアリングパートナーになることができる。いくつかの例では、このような情報は、組織名、電話番号、住所、請求先住所、又は請求方法（普通預金口座など）、１つ、又は２つ以上の電話番号、及びそれぞれが１つ、又は２つ以上の電話番号に相関する１つ、又は２つ以上のネットワークアドレスを含むことができる。例えば、ピアリングパートナーは、ピアリングパートナー端のルーティング機器のインタネットプロトコル（ＩＰ）アドレス、又はピアリングパートナーに割り当てられる電気通信機器にアクセス可能な他のネットワークアドレスなどのようなルーティング情報とともに、ピアリングインフラストラクチャ１０２に電話番号を登録できる。いくつかの実施において、またそれぞれは、ソフトフォンのようなブロードバンドネットワークベースの電気通信機器をピアリングインフラストラクチャ１０２に登録することができる。登録された電話番号は、ピアリングデータベース１０４の内部に記憶できる。いくつかの実施において、ピアリングデータベース１０４は、ピアリングインフラストラクチャ１０２の内部に備えられる。
【００１２】
いくつかの実施において、ピアリングインフラストラクチャ１０２は、ルーティングロジック１１４と、ネットワークスイッチ１１６とを備えることができる。他の実施において、ルーティングロジック１１４は、ネットワークスイッチ１１６の内部に備えられてもよい。１つの例では、ピアリングインフラストラクチャ１０２は、ダイヤルエンドポイント（dialing endpoints）、ブリッジコールレグ（bridging call legs）、及び容易にする自動音声応答装置（facilitating Integrated Voice Response、ＩＶＲ）のようなパケット交換網にわたる様々な通信タスクを実行するように機能するソフトスイッチ、又は仮想ＰＢＸを含むことができる。他の実施が可能である。簡素化されたターム（simplified term）において、ルーティングロジック１１４は、コールオファー内で要求される宛先に到達する経路を計算し、ネットワークスイッチ１１６は、コールオファーを宛先の方へ移動するために必要なスイッチング手順を実行する。例えば、ネットワークスイッチ１１６は、第１の電気通信プロトコルと、第２の電気通信プロトコルとの間を換算するためのロジックを備えることができる。
【００１３】
ピアリングパートナーにより登録される電話番号に向かうコールオファーをピアリングインフラストラクチャ１０２が受信するとき、ピアリングインフラストラクチャ１０２は、ピアリングデータベース１０４の宛先電話番号を検索し、関連するネットワークアドレスへのコールオファーをルーティングする。ピアリングインフラストラクチャ１０２は、コールオファーの終端に関する呼詳細レコードを収集する。収集される呼詳細レコードは、ピアリングパートナーの支払いを決定するときに使用できる。
【００１４】
図１に示す例において、公衆電気通信網（公衆電話交換回線網（ＰＳＴＮ）など）は、ピアリングインフラストラクチャ１０２にコールオファーを発することができる（１２２）。例えば、ピアリングインフラストラクチャ１０２内のネットワークスイッチ１１６は、コールオファーを受信する。ネットワークスイッチ１１６は、宛先電話番号をルーティングロジック１１４に通信できる。ルーティングロジック１１４は、データベースのクエリーを実行し（１２４）、ピアリングデータベース１０４内の電話番号に関する情報を検索する。電話番号がピアリングデータベース１０４内に存在しない場合、ルーティングロジック１１４は、コールオファーの標準的なルーティング動作を実行できる。例えば、ピアリングインフラストラクチャ１０２は、宛先への最低価格のルートに亘る呼をルーティングできる。
【００１５】
また電話番号がピアリングデータベース１０４内で発見される場合は、ルーティングロジック１１４は、ピアリングパートナーの電気通信装置（ピアリングパートナーネットワーク１０６のネットワーク端スイッチなど）の宛先ネットワークアドレスを、ネットワークスイッチ１１６に提供できる。ネットワークスイッチ１１６は、ピアリングパートナーネットワーク１０６にコールオファーを直接的にルーティングできる（１２６）。いくつかの実施において、コールオファーは、ピアリングインフラストラクチャ１０２と、ピアリングパートナーネットワーク１０６との間に確立されるブロードバンドトランクに亘りルーティングされる。他の実施において、ネットワークスイッチ１１６は、ピアリングインフラストラクチャ１０２と、ピアリングパートナーネットワーク１０６との間の他の種類のハードコード接続（hard-coded connection）を含む。例えば、この接続は、ピアリングパートナーがピアリングインフラストラクチャ１０２に電話番号を登録するとき（１２０）に確立できる。ピアリングパートナーネットワーク１０６は、宛先通信機器１１８にコールオファーを配信する（１２８）。
【００１６】
ピアリングパートナーネットワーク端スイッチ１０６により受信される呼が完了すると、ネットワークスイッチ１１６は、呼詳細レコード（ＣＤＲ）の形式で呼の詳細を、１つ、又は２つ以上のＣＤＲコレクタ１０８に提供する（１３０）。いくつかの例では、呼詳細レコードは、発信電話番号と、受信電話番号と、発信タイムスタンプと、通話時間とを含むことができる。いくつかの実施において、ＣＤＲコレクタ１０８は、ピアリングパートナーへのコールオファーの直接的なルーティングに付随する情報によって、呼詳細レコードそれぞれを補強する。いくつかの例では、この情報は、宛先電話番号に関連するピアリングパートナーの識別、発信電話番号に関連するピアリングパートナーの識別、又は最低料金回線自動選択（ＬＣＲ）経路を使用するなどの標準的な電気通信ルーティングメカニズムを介するコールオファーのルーティングに関連する通話料金（分当たりの課金(per minute charge)、定額接続料金（flat rate connection charge）など）を備えることができる。他の実施において、ネットワークスイッチ１１６は、呼詳細レコードそれぞれを補強し、又は呼詳細レコードを補強するために必要な情報をＣＤＲコレクタ１０８に提供する。いくつかの実施において、ＣＤＲコレクタ１０８は、補強された呼詳細レコードを保管する。
【００１７】
ＣＤＲコレクタ１０８は、周期的な基準（月ごと、２週ごと、週ごとなど）によりピアリングパートナーごとに集約使用量情報（summarized usage information）を算出する呼集約エンジン１１０に、補強された呼詳細レコードを提供する（１３２）。いくつかの例では、集約使用量情報は、直接的なピアリング接続を介してルーティングされた合計の分（total minutes）、ピアリングパートナーの代わりにピアリングインフラストラクチャ１０２により終端された呼の合計数、又は標準的な電気通信ルーティングメカニズムを介して、集約されたコールオファーをルーティングしたピアリングインフラストラクチャ１０２の合計の潜在的な価格を備えることができる。
【００１８】
いくつかの実施において、呼集約エンジン１１０は、ピアリングパートナーそれぞれについて集約された終端使用量レポートを生成する。呼集約エンジン１１０は、周期的な基準などにおいて、終端使用量レポートをピアリングパートナーそれぞれに配信する（１３４）ことができる（ファクシミリ、電子メール、郵便、ウェブベースの口座の更新など）。
【００１９】
また呼集約エンジン１１０は、集約された呼レコードデータに部分的に基づくピアリングパートナーのための支払いを計算する支払いエンジン１１２に、集約された呼レコードデータを提供できる（１３６）。いくつかの実施において、インボイス及び支払いエンジン１１２は、標準的な電気通信ルーティングメカニズムを介する、集約されたコールオファーをルーティングしたピアリングインフラストラクチャ１０２の合計の潜在的な価格に基づくパーセンテージレート、又は終端サービスのためにピアリングインフラストラクチャ１０２へ発信電気通信交換局（ＰＳＴＮなど）によって支払われたレートに基づくパーセンテージレートを計算する。他の実施において、インボイス及び支払いエンジン１１２は、ピアリングインフラストラクチャ１０２からピアリングパートナーネットワーク１０６に直接的にルーティングした呼当たり定額料金、または呼の分当たり定額料金を計算できる。
【００２０】
いくつかの実施において、インボイス及び支払いエンジン１１２は、ピアリングパートナーへの支払いの配信（１３８）を管理できる。いくつかの例では、インボイス及び支払いエンジン１１２は、ピアリングパートナーへの請求書の発行を統合でき、またピアリングネットワークプロバイダとの間のピアリングパートナーが有する口座に入金することができる。いくつかの実施において、終端使用量レポートは、支払いと組み合わせることができ、またピアリングパートナーへの単一の通信として発行できる。
【００２１】
一例のインボイス処理、及び支払い処理
図２は、電気通信ピアリングネットワーク内のピアリングパートナーの支払い情報をインボイスし、かつ生成する呼接続を実行する一例の処理２００のスイムラインを概略的に示す図である。例えば、電気通信ピアリングネットワークは、ピアリングパートナーそれぞれにコールオファーを直接的にルーティングでき、ピアリングパートナーに直接的にルーティングされるコールオファーそれぞれを処理する呼終端を管理でき、電気通信ピアリングネットワークからピアリングパートナーへの１つ、又は２つ以上のコールオファーの直接的なルーティングを反映するピアリングパートナーそれぞれへの支払いを発行できる。
【００２２】
いくつかの実施において、処理２００は、公衆電気通信網２０２と、ピアリングネットワークスイッチ２０４と、ピアリングデータベース２０６と、ピアリングパートナーネットワーク２０８と、呼詳細レコードコレクタ２１０と、集約エンジン２１２と、支払い及びインボイスエンジン２１４とを備える。
【００２３】
処理２００は、ピアリングパートナーネットワーク２０８がピアリングパートナーとして会員資格、又は口座を電気通信ピアリングネットワークと確立することによって開始する。いくつかの例では、ピアリングパートナーは、電話、電子メール、ウェブベースの会員登録フォーム、若しくは郵便、又はファクシミリを介する会員登録フォームの発行によりピアリングパートナーネットワークに登録情報を提供できる。
【００２４】
いくつかの実施において、登録処理は、支払い及びインボイスエンジン２１４に支払い情報（２１６）を登録することを含む。例えば、ピアリングパートナーネットワーク２０８は、電気通信ピアリングネットワークからの支払いを受領するために、請求先住所、直接預金口座ルーティング番号、及び／又は他の情報を支払い及びインボイスエンジン２１４に提供できる。いくつかの実施において、支払いを受領する方法の登録とともに、ピアリングパートナーは、いくつかの利用可能なインボイスオプションから選択する。例えば、電気通信ピアリングネットワークは、様々なインボイス集約オプション及び／又は支払い計算オプションをピアリングパートナーそれぞれに提供できる。
【００２５】
また登録処理は、ピアリングデータベース２０６に１つ、又は２つ以上の電話番号（２１８）を登録することを含む。いくつかの実施において、ピアリングパートナーネットワーク２０８は、電話番号の１つ、又は２つ以上ブロックを、ブロックそれぞれに関連するネットワークルーティングアドレスとともにピアリングデータベース２０６に提供する。１つの例では、ピアリングパートナーは、本社、及び支社を有する企業組織を含むことができる。ピアリングパートナーは、電話番号の第１のブロック５５５−５５５−０ｘｘｘを第１のＩＰアドレスに関連するものとして登録でき、電話番号の第２のブロック３３３−３３３−０ｘｘｘを第２のＩＰアドレスに関連するものとして登録でき、それぞれのブロックは、地理的に異なる事務所として登録される。他の実施が可能である。
【００２６】
時間上の後のポイントで、ピアリングネットワークスイッチ２０４は、電話番号５５５−５５５−０１１１（２２０）のコールオファーを公衆電気通信網２０２から受信する。いくつかの実施において、公衆電気通信網２０２はＰＳＴＮである。１つの例では、公衆電気通信網２０２は、終端のためにピアリングネットワークにコールオファーをトランスファし、コールオファーを終端するためにピアリングネットワークに呼終端料金を支払うことに同意する。
【００２７】
ピアリングネットワークスイッチ２０４は、ピアリングデータベース２０６をクエリーして、電話番号５５５−５５５−０１１１がピアリングパートナーにより登録されたか否かを判定する。電話番号５５５−５５５−０１１１がピアリングデータベース２０６内に位置してない場合、ピアリングネットワークスイッチ２０４は、標準的な電気通信網を介してコールオファーをルーティングするなどできる。
【００２８】
ピアリングデータベース２０６は、電話番号５５５−５５５−０１１１の記録に応答する（２２４）。いくつかの実施において、レコードは、ＩＰアドレスのような電話番号の直接的なルーティングアドレスを含む。他の実施において、レコードは、（図１に関連して説明されたように）ネットワークスイッチ１１６にコード化されるスイッチングトランクのような、電気通信ピアリングネットワークと、ピアリングパートナーネットワークとの間に確立される直接的なルーティング接続の識別を含む。
【００２９】
ピアリングネットワークスイッチ２０４は、電話番号５５５−５５５−０１１１のコールオファーをピアリングパートナーネットワーク２０８にルーティングする（２２６）。この例において、コールオファーは、接続された呼として終端する。いくつかの例では、接続された呼は、ビジー信号の状況（the circumstances of a busy signal）、直接的なボイスメール（a direct to voice mail）、及び確立されたデータ／ボイス通信のトランスファ（an established data/voice communications transfer）を含む。
【００３０】
いくつかの実施において、ピアリングネットワークスイッチ２０４は、呼詳細レコード内の終端における呼接続に関するデータを収集する。いくつかの例では、呼詳細レコードは、発信電話番号、宛先電話番号、タイムスタンプ、及び通話時間を含む。いくつかの実施において、呼詳細レコードは、識別コード、又は接続するＩＰアドレスのようなピアリングパートナーに関する情報をさらに含む。ネットワークスイッチ２０４は、呼詳細レコード（ＣＤＲ）コレクタ２１０に呼詳細レコードを提供する（２２８）。
【００３１】
ＣＤＲコレクタ２１０は、呼詳細レコードを保管する。いくつかの実施において、ＣＤＲコレクタ２１０は、記録保管用のローカルデータベース内部に呼詳細レコードを記憶する。他の実施において、ＣＤＲコレクタ２１０は、呼ごと、又はバッチ基準でネットワーク化されたデータベースに呼詳細レコードを更新する。例えば、２つ以上のＣＤＲコレクタ２１０は、共有ＣＤＲ記録保管システムに呼詳細レコードを発行する。いくつかの実施において、呼詳細レコードが、ピアリングパートナーに直接接続されるピアリングネットワークの呼に関連する場合、ＣＤＲコネクタ２１０は、ピアリングパートナーに関する情報によって呼詳細レコードを補強する。例えば、ＣＤＲコレクタ２１０は、終端電話番号を使用して、ピアリングパートナー識別コードに呼詳細レコードを適合できる。いくつかの実施において、ＣＤＲコネクタ２１０は、ピアリングデータベース２０６をクエリーして、終端電話番号に関連するピアリングパートナー情報を取得する。他の実施において、ＣＤＲコレクタ２１０は、ピアリングパートナー情報を含む別個のデータベース（支払い及びインボイス登録情報、又はピアリングパートナーネットワークにより維持される他のデータベースなどを含むデータベースなど）をクエリーする。
【００３２】
ＣＤＲコレクタ２１０は、補強された呼詳細レコードを集約エンジン２１２に提供する（２３０）。例えば、ＣＤＲコレクタ２１０は、ローカル接続のデータベース内部のレコードを収集した後に、呼詳細レコードを保管するネットワーク化されたシステム内の１つ、又は２つ以上の呼詳細レコードを発行できる。他の例では、ＣＤＲコレクタ２１０は、呼詳細レコード保管システムから１つ、又は２つ以上の呼詳細レコードを検索することに関する情報を集約エンジン２１２に提供できる。いくつかの実施において、集約エンジン２１２は、補強された呼詳細レコードを２つ以上のＣＤＲコレクタ２１０から受信する。
【００３３】
集約エンジン２１２は、電気通信ピアリングネットワークのピアリングパートナーの使用量を集約する。いくつかの例では、集約エンジン２１２は、期間にわたるピアリングパートナーの合計コールオファー終端数、ピアリングネットワークスイッチ２０４からピアリングパートナーネットワーク２０８に直接的にルーティングされた合計の呼の分、電話番号当たりの合計の呼の分、電話番号当たりの合計コールオファー終端、登録されたピアリングパートナー終端アドレス当たりの合計の呼の分、又は登録されたピアリングパートナー終端アドレス当たりの合計コールオファー終端を計算できる。
【００３４】
いくつかの実施において、集約データは、電気通信ピアリングネットワークと、ピアリングパートナーとの間に確立される支払い及びインボイス同意の形式に部分的に依存してもよい。例えば、ピアリングパートナーは、インボイスレポートそれぞれの内部のピアリングパートナーネットワークからより多くの詳細、又はより少ない詳細を要求して、支払請求サイクルごとの合計呼数／合計の分の数からそれぞれの詳細な呼のログに分類できる。いくつかの実施において、集約エンジン２１２は、集約されたインボイスレポートをピアリングパートナーネットワーク２０８に提供する（２３２）。
【００３５】
また集約エンジン２１２は、支払い及びインボイスエンジンに集約使用量を提供する（２３４）。いくつかの実施において、ピアリングパートナーは、呼レート当たりと、分レート当たりとのように、異なる支払いシステムの間で選択できる。集約エンジン２１２は、支払いの種類に基づいて、支払い及びインボイスエンジン２１４が必要とするデータの一部を生成できる。他の実施では、ピアリングパートナーに関わらず、集約エンジン２１２は、支払い及びインボイスエンジン２１４に同一の種類の統計資料を提供する。
【００３６】
支払い及びインボイスエンジン２１４は、集約エンジン２１２から提供されるデータに部分的に基づいてピアリングパートナーの支払いを計算する（２３６）。いくつかの実施において、支払い及びインボイスエンジン２１４は、データベースをクエリーして、ピアリングパートナーネットワーク２０８が選択する支払いの種類及び／又は支払い供給方法を決定する（登録の間など）。いくつかの例では、支払いの種類は、ピアリングパートナーネットワーク２０８への直接的なルートではなく標準的な電気通信ルーティングメカニズムを介して、集約されたコールオファーをルーティングした電気通信ピアリングネットワークの合計の潜在的な価格に基づくパーセンテージレート、終端サービスのために電気通信ピアリングネットワークに発信電気通信交換局（ＰＳＴＮなど）により支払われた呼終端料金に基づくパーセンテージレート、電気通信ピアリングネットワークと、ピアリングパートナーネットワークとの間で直接的にルーティングされた呼当たりの定額料金、又は電気通信ピアリングネットワークからピアリングパートナー２０８に直接的にルーティングされた呼の分当たりの定額料金を含むことができる。
【００３７】
他の実施において、支払い及びインボイスエンジン２１４は、支払いの計算よりもむしろ、ピアリングパートナーネットワーク２０８の口座に申請する（apply）金額を計算する。１つの例では、電気通信ピアリングネットワークは、ピアリングネットワーク２０８から発信するコールオファーをルーティングするためにピアリングネットワーク２０８を請求（charge）でき、ピアリングネットワーク２０８で終端するコールオファーをルーティングするためにピアリングネットワーク２０８を入金（credit）できる。例えば、ピアリングネットワーク２０８は、ピアリングネットワーク２０８は、発信ベースの金額と、宛先ベースの金額との差によって、過多量が支払われ（paid an overage）、又は請求されてもよい。ピアリングパートナーネットワーク２０８が、電気通信回線事業者、又は電気通信サービスプロバイダなどである場合、支払い及びインボイスエンジン２１４が計算する支払いは、ピアリングネットワークプロバイダと、ピアリングパートナープロバイダとの間に確立する相互の請求モデルに適用できる。
【００３８】
いくつかの実施において、支払い及びインボイスエンジン２１４は、ピアリングパートナーネットワーク２０８に支払いを分配する。例えば、支払い及びインボイスエンジン２１４は、ピアリングパートナーネットワーク２０８により先に登録された支払い情報に基づき、電子的な支払い、又は請求書ベースの支払いをピアリングパートナーが選択した宛先に配送できる。いくつかの実施において、集約エンジン２１２がピアリングパートナーネットワーク２０８に、集約使用量レポートを先に直接提供していない場合、支払い及びインボイスエンジン２１４は、集約使用量レポートを支払いの配信に含むことができる。
【００３９】
他の実施において、支払い及びインボイスエンジン２１４は、ピアリングパートナーに借方、又は貸方を適用するなどのために、電気通信ピアリングネットワーク内の口座システムに支払い情報を提供できる。
【００４０】
集約システム２１２と、支払い及びインボイスエンジン２１４は、別の構成要素として説明されるが、他の実施では、集約システム２１２の機能は、支払い及びインボイスエンジン２１４の機能と組み合わせることができる。他の実施において、支払い及びインボイスエンジン２１４は、より大きなアカウントエンジン内に含まれてもよい。
【００４１】
一例のシステムアーキテクチャ
図３は、図１、及び２を参照して説明される様々な動作を実行する一例のシステムアーキテクチャ３００のブロックを概略的に示す図である。例えば、システム３００は、図１を参照して説明されるピアリングインフラストラクチャ１０２に含まれてもよい。システム３００は、１つ、又は２つ以上のプロセッサ３０２と、メモリ３１０と、記憶装置３０４と、入力／出力インタフェース３０８とを備える。これらの構成要素のそれぞれは、システムバス３１１を使用して相互接続できる。プロセッサ３０２は、システム３００内で実行される命令を処理する能力を有する。いくつかの実施において、プロセッサ３０２は、シングルスレッドプロセッサである。他の実施において、マルチスレッドプロセッサである。プロセッサ３０２は、図１、及び２を参照して説明された動作を実行するために、メモリ３１０、又は記憶装置３０４に記憶された命令を処理する能力を有する。
【００４２】
メモリ３１０は、システム３００内部の情報を記憶する。いくつかの実施において、メモリ３１０は、コンピュータに読み取り可能な媒体である。他の実施において、メモリ３１０は、揮発性メモリユニットである。また他の実施において、メモリ３１０は、不揮発性メモリユニットである。示される例では、メモリ３１０は、呼詳細レコードを収集し、かつ補強する呼詳細レコード（ＣＤＲ）収集コード３１２と、電気通信ピアリングネットワークのそれぞれのピアリングパートナーについて集約される統計資料を生成し、かつレポートをインボイスする集約エンジンコード３１４と、呼詳細レコードの要約統計資料に部分的に基づいて、それぞれのピアリングパートナーの支払い、又は口座残高を計算し、かつ適合するインボイス及び支払いエンジンコード３１６とを備える。ＣＤＲ収集コード３１２、集約エンジンコード３１４、及びインボイス及び支払いエンジンコード３１６の動作に関する詳細は、図１、及び２を参照して説明される。記憶装置３０４は、システム３００のマスストレージを提供する能力を有する。いくつかの実施において、記憶装置３０４は、コンピュータに読み取り可能な媒体である。様々な異なる実施において、記憶装置３０４は、１つ、又は２つ以上のフロッピー（登録商標）ディスク装置、ハードディスク装置、光ディスク装置、又はテープ装置として実施できる。例えば、図１に関して説明されるピアリングデータベース１０４、又は図２に関して説明される呼詳細レコード保管システムは、記憶装置３０４内部で実施できる。
【００４３】
入力／出力インタフェース３０８は、システム３００の入力／出力動作のインタフェースを提供する。いくつかの実施において、入力／出力インタフェース３０８は、キーボード装置及び／又はポインティング装置に結合されてもよい。他の実施において、入力／出力インタフェース３０８は、グラフィカルユーザインタフェースに表示する表示ユニットに結合されてもよい。
【００４４】
説明される特徴は、デジタル電子回路、コンピュータハードウェア、ファームウェア、ソフトウェア、又はこれらの組み合わせにより実施できる。特徴は、機械可読な記憶装置、又はプログラム可能なプロセッサにより実行される伝播信号などの情報媒体により明確に実現されるコンピュータプログラム製品において実施できる。方法ステップは、入力データで動作し、出力を生成することにより説明される実施の機能を実行する命令のプログラムを実行するプログラム可能なプロセッサによって実行できる。
【００４５】
有利には、説明される特徴は、データ記憶装置、少なくとも１つの入力装置、及び少なくとも１つの出力装置に、データ、及び命令データを受信し、データ、及び命令を出力するために結合される少なくとも１つのプログラム可能なプロセッサを含むプログラム可能なシステムにおいて実行可能な１つ、又は２つ以上のコンピュータプログラムにおいて実施できる。コンピュータプログラムは、ある活動を実行し、又はある結果をもたらすコンピュータにおいて、直接的、又は間接的に使用される一連の命令である。コンピュータプログラムは、コンパイラ型言語、又はインタープリタ型言語を含むいずれかの形式のプログラム言語（オブジェクティブC、Ｊａｖａ（登録商標）など）で書かれ、独立したプログラム、若しくはモジュール、コンポーネント、サブルーチン、又はコンピュータ環境で使用されるのに適する他のユニットを含むいずれの形式で表示できる。
【００４６】
例として、命令のプログラムを実行するのに適するプロセッサは、いずれの種類のコンピュータの汎用マイクロプロセッサ、及び専用イクロプロセッサの双方、ソロプロセッサ（sole processor）、並びにマルチプロセッサ、及びマルチコアの１つを含む。一般的に、プロセッサは、リードオンリメモリ、ランダムアクセスメモリ、又はその双方からの命令、及びデータを受信することになるであろう。コンピュータの必須要素は、命令を実行するプロセッサと、命令、及びデータを記憶する１つ、又は２つ以上のメモリである。また一般的に、コンピュータは、データファイルを記憶する１つ、又は２つ以上のマスストレージ装置を含み、又は１つ、又は２つ以上のマスストレージ装置と通信する動作可能なように結合されることになるであろう。このような装置は、内部ハードディスク、及びリムーバブルディスクのような磁気ディスク、光磁気ディスク、及び光ディスクを含む。コンピュータプログラム命令、及びデータを明確に実現するのに適する記憶装置は、ＥＰＲＯＭ、ＥＥＰＲＯＭ、及びフラッシュメモリ装置などの半導体メモリ装置、内部ハードディスク、及びリムーバルディスクのような磁気ディスク、光磁気ディスク、ＣＤ−ＲＯＭ、並びにＤＶＤ−ＲＯＭなどを含む全ての形式の不揮発性メモリを含む。プロセッサと、メモリは、ＡＳＩＣ（特定用途向け集積回路）により補完され、又は組み込まれる。
【００４７】
ユーザに相互作業を提供するために、特徴は、ユーザに情報を表示するＣＲＴ（ブラウン管）モニタ、ＬＣＤ（液晶ディスプレイ）モニタのような表示装置と、キーボードと、コンピュータにユーザが入力を提供可能なマウス、又はトラックボールのようなポインティング装置とを有するコンピュータで実施できる。
【００４８】
データサーバのようなバックエンドコンポーネントを含むコンピュータシステム、アプリケーションサーバ、又はインタネットサーバのようなミドルウェアコンポーネントを含むコンピュータシステム、若しくはグラフィカルユーザインタフェース、又はインタネットブラウザ、又はこれらの組み合わせを有するクライアントコンピュータのようなフロントエンドコンポーネントを含むコンピュータシステムにおいて実施できる。システムのコンポーネントは、通信ネットワークのようなデジタルデータ通信のいずれの形式、又は媒体により接続できる。通信ネットワークの例には、ＬＡＮ、ＷＡＮ、及びインタネットを形成するコンピュータとネットワークなどを含む。
【００４９】
コンピュータシステムは、クライアント、及びサーバを含むことができる。一般的にクライアント、及びサーバは、互いに離れており、ネットワークを介して相互作用する。クライアントと、サーバとの関係は、それぞれのコンピュータで実行され、かつ互いにクライアント‐サーバの関係を有するコンピュータプログラムにより生じる。
【００５０】
多くの実施が説明されてきた。それにもかかわらず、様々な修正が可能であることが理解されるであろう。例えば、１つ、又は２つ以上の実施の要素は、組み合わせ、削除され、修正され、又は補完されることにより、さらなる実施を形成することが可能である。さらに他の例として、図に示すロジックフローは、所望の結果を達成するために、図示される特定の順序、又はシーケンス順序である必要はない。さらに、他のステップを提供し、又は説明したフローからステップを削除することができ、説明されるシステムに他の構成要素を付加し、又は除去することができる。したがって、他の実施は、以下のクレームの範囲内である。
【図１】
2011199861.tif 000003
【図２】
2011199861.tif 000004
【図３】
2011199861.tif 000005
【外国語明細書】
2011199861000001.pdf